(57)【要約】【課題】  ハウジング内の温度上昇を抑制できる表示装置を提供する。【解決手段】  発光素子３０は、液晶表示パネル１０を照明する照明光を発する。配線板３１は、発光素子３０を搭載する。ハウジング５０は、液晶表示パネル１０及び発光素子３０を収容する。ハウジング５０は、配線板３１が固定されるケース体５１を有する。導光板２０は、発光素子３０が発した照明光を液晶表示パネル１０の後面側に導く。保持部材６０は、発光素子３０が発した照明光が通過する開口部６０ｂを有し、導光板２０を保持する。回路基板４０は、液晶表示パネル１０に画像を表示させる表示制御回路４１を搭載する。【選択図】  図１
2017173478.tif 000002
【特許請求の範囲】
【請求項１】
液晶表示パネルと、前記液晶表示パネルを照明する照明光を発する発光素子と、前記発光素子を搭載した配線板と、前記液晶表示パネル及び前記発光素子を収容するハウジングと、を備えた表示装置であって、前記ハウジングは、前記配線板が固定されるケース体を有することを特徴とする表示装置。
【請求項２】
前記発光素子が発した前記照明光を前記液晶表示パネルの後面側に導く導光板を更に備えたことを特徴とする請求項１に記載の表示装置。
【請求項３】
前記発光素子が発した前記照明光が通過する開口部を有し、前記導光板を保持する保持部材を更に備えたことを特徴とする請求項２に記載の表示装置。
【請求項４】
前記液晶表示パネルに画像を表示させる表示制御回路を搭載した回路基板を更に備えたことを特徴とする請求項１に記載の表示装置。
【請求項５】
前記表示制御回路は、熱伝導材を介して、前記ケース体に当接していることを特徴とする請求項４に記載の表示装置。
【請求項６】
前記ケース体は、金属からなることを特徴とする請求項１に記載の表示装置。
【発明の詳細な説明】
【技術分野】
【０００１】
液晶表示パネルを備えた表示装置に関するものである。
【背景技術】
【０００２】
従来より、透過照明される液晶表示パネルを備えた表示装置が種々提案されており、例えば特許文献１に開示されている。斯かる表示装置は、液晶表示パネルと、この液晶表示パネルを透過照明するバックライトモジュールとをハウジングに収容したものである。液晶表示パネルは、回路基板に搭載されたマイコン等の制御手段によって駆動される。バックライトモジュールは、液晶表示パネルの後方に配設された導光板と、この導光板に照明光を照射する発光素子と、を有している。
【先行技術文献】
【特許文献】
【０００３】
【特許文献１】特開２０１５−１５２６８１号公報
【発明の概要】
【発明が解決しようとする課題】
【０００４】
しかしながら、液晶表示パネルの透過照明する発光素子が発した熱がハウジング内に蓄積されることで、ハウジング内の温度が上昇して、液晶表示パネルを駆動する制御手段に悪影響を与える虞があった。
本発明は、ハウジング内の温度上昇を抑制できる表示装置を提供するものである。
【課題を解決するための手段】
【０００５】
本発明は、液晶表示パネル１０と、前記液晶表示パネル１０を照明する照明光を発する発光素子３０と、前記発光素子３０を搭載した配線板３１と、前記液晶表示パネル１０及び前記発光素子３０を収容するハウジング５０と、を備えた表示装置であって、前記ハウジング５０は、前記配線板３１が固定されるケース体５１を有するものである。
【０００６】
また、本発明は、前記発光素子３０が発した前記照明光を前記液晶表示パネル１０の後面側に導く導光板２０を更に備えたものである。
【０００７】
また、本発明は、前記発光素子３０が発した前記照明光が通過する開口部６０ｂを有し、前記導光板２０を保持する保持部材６０を更に備えたものである。
【０００８】
また、本発明は、前記液晶表示パネル１０に画像を表示させる表示制御回路４１を搭載した回路基板４０を更に備えたものである。
【０００９】
また、本発明は、前記表示制御回路４１は、熱伝導材４２を介して、前記ケース体５１に当接しているものである。
【００１０】
また、本発明は、前記ケース体５１は、金属からなるものである。
【発明の効果】
【００１１】
発光素子の発熱をケース体に伝えて、ハウジング外に放散することができ、ハウジング内の温度上昇を抑制できる。
【図面の簡単な説明】
【００１２】
【図１】本発明の第一実施形態を示す断面図。
【図２】同上実施形態を示す配線板の正面図。
【図３】同上実施形態を示すブロック図。
【図４】本発明の第二実施形態を示す断面図。
【発明を実施するための形態】
【００１３】
以下、添付図面に基づいて、本発明の一実施形態を説明する。図１乃至図３は、第一実施形態を示すものである。車両用表示装置は、液晶表示パネル１０，導光板２０，発光素子３０，回路基板４０，ハウジング５０，中ケース６０等を備えている。
【００１４】
液晶表示パネル１０は、透明電極が形成された一対のガラス基板に液晶を封入したＴＦＴ型液晶パネルの前後両面に偏光板を貼着したものであり、車両速度，エンジン回転数等の車両情報が画像で表示される。液晶表示パネル１０は、図示しない可撓性配線板によって、回路基板４０と電気的に接続されている。液晶表示パネル１０は、両面粘着テープ１５によって中ケース６０の前面に貼着されている。
【００１５】
導光板２０は、アクリル等の透光性樹脂からなるものであり、平板形状になっている。導光板２０は、液晶表示パネル１０の後面側に配設されている。導光板２０の前後面には、光拡散シート，光反射シート，輝度上昇フィルム等の光学シート２１が配設されている。導光板２０は、中ケース６０に保持され、液晶表示パネル１０と平行になっている。
【００１６】
発光素子３０は、複数の発光ダイオードからなり、導光板２０の側端面２０ａに沿うように列状に配置されている。発光素子３０は、硬質配線板３１に搭載され、導光板２０の側端面２０ａに照明光を発する。発光素子３０が発した照明光は、導光板２０によって液晶表示パネル１０の後面側に導かれる。発光素子３０が搭載された硬質配線板３１は、ハウジング５０のケース体５１に、ビス７３によって固定されている。硬質配線板３１とケース体５１の間には、サーマルシート等の熱伝導材３２が配設されている。硬質配線板３１は、配線コード３５にて回路基板４０と電気的に接続されている。
【００１７】
回路基板４０は、ガラスエポキシ樹脂からなる基材に配線パターンを形成したものであり、中ケース６０の後面側に配設されている。回路基板４０の後面には、液晶表示パネル１０を制御する表示コントローラ４１が搭載されている。回路基板４０は、ハウジング５０のケース体５１に収容され、ビス７１によって固定されている。回路基板４０は、液晶表示パネル１０及び導光板２０と夫々平行に配置されている。
【００１８】
ハウジング５０は、ケース体５１及び透光性カバー５２を有しており、液晶表示パネル１０，導光板２０，発光素子３０，回路基板４０，中ケース６０等を収容する。ケース体５１は、マグネシウム，アルミニウム等の金属からなるものである。ケース体５１には突出部５１ｄが形成されており、この突出部５１には、熱伝導材４２が配設されている。回路基板４０に搭載された表示コントローラ４１は、熱伝導材４２を介して、ケース体５１に当接している。表示コントローラ４１が発した熱は、熱伝導材４２を介してケース体５１に伝わり、ケース体５１によって放散される。ケース体５１には、配線コード３５が通される２個の貫通孔５１ｂ，５１ｃが形成されている。配線コード３５の一部は、ケース体５１の外に露出している。
【００１９】
ハウジング５０の透光性カバー５２は、アクリル等の透光性樹脂からなるものであり、液晶表示パネル１０の前方に配設されている。液晶表示パネル１０に表示される画像は、透光性カバー５２を透して視認される。透光性カバー５２は、中ケース６０のフランジ部６０ｃを介して、ビス７２によってケース体５１に固定されている。
【００２０】
中ケース６０は、白色樹脂からなるものであり、導光板２０を収容する収容部６０ｄを有している。中ケース６０の後方には、ビス７１によって回路基板４０が固定されている。中ケース６０には開口部６０ｂが形成されており、発光素子３０が発した照明光は開口部６０ｂを通過して、導光板２０の側端面２０ａに照射される。
【００２１】
図３は、車両用表示装置の電気的構成を示すブロック図である。マイコン８０は、ＣＰＵ８１，不揮発性メモリ８２，揮発性メモリ８３を有しており、回路基板４０に搭載されている。不揮発性メモリ８２は、例えばフラッシュメモリからなるものであり、揮発性メモリ８３は、例えばＳＤＲＡＭ（Synchronous Dynamic Random Access Memory）からなるものである。
【００２２】
速度センサ９１は、車両速度を検出し、マイコン８０に速度データを出力する。回転センサ９２は、エンジンの回転数を検出し、マイコン８０に回転数データを出力する。マイコン８０は、不揮発性メモリ８２に格納されている所定のプログラムに基づいて、表示コントローラ４１を制御すると共に、発光素子３０を駆動する。表示コントローラ４１は、マイコン８０から出力された制御信号に基づいて、液晶表示パネル１０に画像を表示させる。
【００２３】
図４は、第二実施形態を示すものである。車両用表示装置は、液晶表示パネル１０，導光板２０，発光素子３０，回路基板４０，ハウジング５０，中ケース６０等を備えている。
【００２４】
液晶表示パネル１０は、透明電極が形成された一対のガラス基板に液晶を封入したＴＦＴ型液晶パネルの前後両面に偏光板を貼着したものであり、車両速度，エンジン回転数等の車両情報が画像で表示される。液晶表示パネル１０は、図示しない可撓性配線板によって、回路基板４０と電気的に接続されている。液晶表示パネル１０は、両面粘着テープ１５によって中ケース６０に貼着されている。
【００２５】
導光板２０は、アクリル等の透光性樹脂からなるものであり、平板形状になっている。導光板２０は、液晶表示パネル１０の後面側に配設されている。導光板２０の前後面には、光拡散シート，光反射シート，輝度上昇フィルム等の光学シート２１が配設されている。導光板２０は、中ケース６０に保持され、液晶表示パネル１０と平行になっている。
【００２６】
発光素子３０は、複数の発光ダイオードからなり、導光板２０の側端面２０ａに沿うように列状に配置されている。発光素子３０は、硬質配線板３１に搭載され、導光板２０の側端面２０ａに照明光を発する。発光素子３０が発した照明光は、導光板２０によって液晶表示パネル１０の後面側に導かれる。発光素子３０が搭載された硬質配線板３１は、ハウジング５０のケース体５１に、ビス７３によって固定されている。硬質配線板３１とケース体５１の間には、サーマルシート等の熱伝導材３２が配設されている。硬質配線板３１は、配線コード３５にて回路基板４０と電気的に接続されている。
【００２７】
回路基板４０は、ガラスエポキシ樹脂からなる基材に配線パターンを形成したものであり、中ケース６０の後面側に配設されている。回路基板４０の後面には、液晶表示パネル１０を制御する表示コントローラ４１が搭載されている。回路基板４０は、ハウジング５０のケース体５１に収容され、ビス７１によって固定されている。回路基板４０は、液晶表示パネル１０及び導光板２０と夫々平行に配置されている。
【００２８】
ハウジング５０は、ケース体５１及び透光性カバー５２を有しており、液晶表示パネル１０，導光板２０，発光素子３０，回路基板４０，中ケース６０等を収容する。ケース体５１は、マグネシウム，アルミニウム等の金属からなるものである。ケース体５１には、放熱フィン５１ａが一体形成されている。ケース体５１には突出部５１ｄが形成されており、この突出部５１ｄには、熱伝導材４２が配設されている。回路基板４０に搭載された表示コントローラ４１は、熱伝導材４２を介して、ケース体５１に当接している。表示コントローラ４１が発した熱は、熱伝導材４２を介してケース体５１に伝わり、ケース体５１によって放散される。ケース体５１には、配線コード３５が通される２個の貫通孔５１ｂ，５１ｃが形成されている。配線コード３５の一部は、ケース体５１の外に露出している。
【００２９】
ハウジング５０の透光性カバー５２は、平板状の透光性基材５２ａの後面に遮光層５２ｂを形成したものである。透光性カバー５２の遮光層５２ｂには、矩形の窓部５２ｃが設けられており、この窓部５２ｃから液晶表示パネル１０に表示される画像が視認される。透光性カバー５２は、接着部材５５にてケース体５１及び中ケース６０に固定されている。
【００３０】
中ケース６０は、白色樹脂からなるものであり、導光板２０を収容する収容部６０ｄを有している。中ケース６０の後方には、ビス７１によって回路基板４０が固定されている。中ケース６０には開口部６０ｂが形成されており、発光素子３０が発した照明光は開口部６０ｂを通過して、導光板２０の側端面２０ａに照射される。
【００３１】
第一，第二実施形態は、液晶表示パネル１０と、液晶表示パネル１０を照明する照明光を発する発光素子３０と、発光素子３０を搭載した硬質配線板（配線板）３１と、液晶表示パネル１０及び発光素子３０を収容するハウジング５０と、を備えた表示装置であって、ハウジング５０は、硬質配線板（配線板）３１が固定されるケース体５１を有するものであり、発光素子３０の発熱をケース体５１に伝えて、ハウジング５０外に放散することができ、ハウジング５０内の温度上昇を抑制できる。
【００３２】
本発明は、第一，第二実施形態に限定されるものではなく、種々の変形が可能である。例えば、第一，第二実施形態では、配線板が硬質配線板３１であったが、可撓性配線板であっても良い。
【符号の説明】
【００３３】
１０    液晶表示パネル
２０    導光板
３０    発光素子
３１    硬質配線板（配線板）
４０    回路基板
４１    表示コントローラ（表示制御回路）
４２    サーマルシート（熱伝導材）
５０    ハウジング
５１    ケース体
６０    中ケース（保持部材）
６０ｂ  開口部
【図１】
2017173478.tif 000003
【図２】
2017173478.tif 000004
【図３】
2017173478.tif 000005
【図４】
2017173478.tif 000006